(57)【要約】【課題】ガラス製の内容器と硬質樹脂製の外容器を破損することなく嵌め合わせて密着させることに加え、反復使用によるひび割れを防止すること。【解決手段】  有底筒形の内容器１の外側を断熱空間３を介して外容器２で覆い、凸条５と凹溝８の嵌り合いによって内容器の上部と外容器の上部を周方向に沿って密着させる二重容器において、内容器にはガラスを用い、外容器には樹脂を用い、内容器はその上端部を外容器よりも上方に突出させて口部４とし、口部の下側に凸条と凹溝の一方を形成し、外容器は、凸条と凹溝の他方を有するリング状の係止輪６と、係止輪の外側に差し込んで内容器の外側を覆う外容器本体７とからなり、係止輪には凹凸による嵌り合いの際に広がる柔軟性を有するものを用い、外容器本体には容器形状を維持する硬質性を備えたものを用い、係止輪と外容器本体を溶着又は接着によって一体化することを特徴とする。【選択図】      図１
2006136549.tif 000002
【特許請求の範囲】
【請求項１】
有底筒形の内容器（１）の外側を断熱空間（３）を介して外容器（２）で覆い、凸条（５）と凹溝（８）の嵌り合いによって内容器（１）の上部と外容器（２）の上部を周方向に沿って密着させる二重容器において、
内容器（１）の素材にガラスを用いると共に外容器（２）の素材に樹脂を用い、
内容器（１）はその上端部を外容器（２）よりも上方に突出させて口部（４）とすると共に、口部（４）の下側外周面に沿って凸条（５）と凹溝（８）の一方を形成し、
外容器（２）は、凸条（５）と凹溝（８）の他方を内周面に沿って有するリング状の係止輪（６）と、内容器（１）に嵌め合わせた係止輪（６）の外側に差し込んで内容器（１）の外側を覆う外容器本体（７）とからなり、
係止輪（６）には凹凸による嵌り合いの際に広がる柔軟性を有するものを用い、一方、外容器本体（７）には容器形状を維持する硬質性を備えたものを用い、
係止輪（６）と外容器本体（７）を溶着又は接着によって一体化することを特徴とする二重容器。
【発明の詳細な説明】
【技術分野】
【０００１】
本発明は、例えばアイスクリームやシャーベット等の氷菓子を作ったり、ビールに代表される飲料を保冷したりする有底筒形の二重容器に関する。
【背景技術】
【０００２】
従来の二重容器としては、内容器と外容器の双方を硬質樹脂で作り、内容器と外容器の上部に有するリング状の凹凸を嵌め合わせることによって内容器と外容器を密着させ、内容器と外容器の間に形成される断熱空間を密閉するものが知られている（特許文献１）。ちなみに、二重容器は、断熱空間の密閉度によって保温性に差ができることから、密閉度を確保することは重要である。また、内容器と外容器に硬質樹脂を用いたのは、二重容器の中に液体等を入れた場合にでもその重量に耐えて容器形状を維持するためである。ところが、硬質樹脂の二重容器は、その素材ゆえ口を付けたときの感触がガラス製の二重容器よりも悪い。
【特許文献１】実開昭６１−３４０８０号公報
【０００３】
また、従来の二重容器としては、内容器と外容器の双方をガラスで作り、内容器と外容器の上部をＯリングを介して密着したものもあるが、Ｏリングの分だけ部品点数が増える。
【０００４】
そこで本発明者は、内容器をガラス製にすると共に外容器を硬質樹脂製にし、凹凸を利用して内外の容器を嵌め合わせ、ガラス製の内容器を外容器よりも上方に突き出す構造にすることによって、上記問題を解決できないかと考えた。しかし、ガラス製の内容器は変形しないことから、嵌め合わせの際に硬質樹脂製の外容器が能力以上に広がって割れることになった。ちなみに、内容器と外容器の双方が硬質樹脂製の場合は、外容器が広がるだけでなく、内容器が縮むことによって、破損することなく嵌め合わせが可能であった。
【０００５】
上記実情を考慮し、ガラス製の内容器と硬質樹脂製の外容器を破損することなく嵌め合わせて密着させる二重容器の発明を、本発明者は創作し、特許出願した（特許文献２）。
【特許文献２】特願２００３−３８２２７６
【０００６】
この二重容器は高温の樹脂製外容器にガラス製内容器を圧入して嵌め合わせることによって、上記問題を解消したのであるが、反復して数ヶ月使用していると、硬質樹脂製の外容器の嵌め合わせ箇所にひび割れが入ることがあった。
【０００７】
これは、樹脂製の外容器の成形加工（射出成形）において、例えば二重容器がビールジョッキであった場合には持ち手側から溶融材料を金型に投入すると、持ち手の根元で溶融材料の流れが分流された後に、持ち手とは反対側で再合流し、その合流箇所の強度が弱くなることが原因の一つと考えられる。また、樹脂製外容器をガラス製内容器に嵌め合わせて密着してあるので、その嵌め合わせによるストレスが常時かかっていることも原因の一つと考えられる。そして、反復使用すると、これら原因によってその嵌め合わせ箇所の合流箇所でひび割れが入ることがあると本発明者は考えた。
【発明の開示】
【発明が解決しようとする課題】
【０００８】
本発明は上記実情を考慮して創作されたもので、ガラス製の内容器と硬質樹脂製の外容器を破損することなく嵌め合わせて密着させることに加え、ひび割れの発生を防止することを解決課題とし、かかる課題が向上できれば部品点数が多少増えても良いものとした。
【課題を解決するための手段】
【０００９】
本発明は、有底筒形の内容器の外側を断熱空間を介して外容器で覆い、凸条と凹溝の嵌り合いによって内容器の上部と外容器の上部を周方向に沿って密着させる二重容器を前提とする。
【００１０】
そして、内容器の素材にガラスを用いると共に外容器の素材に樹脂を用い、内容器はその上端部を外容器よりも上方に突出させて口部とすると共に、口部の下側外周面に沿って凸条と凹溝の一方を形成し、外容器は、凸条と凹溝の他方を内周面に沿って有するリング状の係止輪と、内容器に嵌め合わせた係止輪の外側に差し込んで内容器の外側を覆う外容器本体とからなり、係止輪には凹凸による嵌り合いの際に広がる柔軟性を有するものを用い、一方、外容器本体には容器形状を維持する硬質性を備えたものを用い、係止輪と外容器本体を溶着又は接着によって一体化することを特徴とする。
【００１１】
係止輪と外容器本体を一体化するので、内容器と外容器の嵌め合わせが外れるおそれはない。また、接着すると、接着剤による汚れが付いて外容器本体が透明である場合には体裁が良くないが、溶着すると、係止輪と外容器本体の一部が溶けて一体化するので汚れがなく、体裁がよい。
【００１２】
係止輪の外側に外容器本体を差し込むので、係止輪と外容器本体を合わせたもの（以下、合体物と略す）の肉厚よりも当然、係止輪の肉厚は薄くなり、それ故、係止輪は合体物よりも変形しやすくなり、嵌め合わせの際に広がる柔軟性が得られやすい。従って、係止輪と外容器本体に同じ硬質樹脂材料を用いても、その材料を選定すれば、肉厚が薄い場合には嵌め合わせの際に広がる柔軟性が得られると共に肉厚が厚い場合には容器形状を維持する硬質性が得られる可能性はあるが、係止輪と外容器本体に別々の樹脂材料を用い、係止輪にはかかる柔軟性が得られる材料を用い、外容器本体にはかかる硬質性が得られる材料を用いることが望ましい。なお、接着や溶着をするのに適当な材料であることも望まれる。
【００１３】
凸条と凹溝はガラス製の内容器と樹脂製の外容器のいずれに設けても良いが、凸条を樹脂製の外容器に、凹溝をガラス製の内容器にそれぞれ設けた場合、ガラス製の内容器はその内周面の凹溝に対応する箇所が成形後の固化中のヒケによって窪むことになる。内周面にリング状に窪む箇所があると、汚れが溜まりやすいし、二重容器の内面を洗い難くなる。これを防ぐには、凸条をガラス製の内容器に、凹溝を樹脂製の外容器にそれぞれ設けることが望ましい。凸条をガラス製の内容器に設ければ、内容器の内周面がでこぼこの無い滑らかな筒状曲面となり、内容器の内面に汚れが溜まりにくいし、洗いやすい。
【発明の効果】
【００１４】
本発明は、係止輪には凹凸による嵌り合いの際に広がる柔軟性を有するものを用いているので、ガラス製の内容器に係止輪を嵌め込むことができ、また、係止輪と外容器本体を一体化した外容器には、内容器との嵌め合わせによるストレスが常時かかるが、そのストレスを係止輪の柔軟性で緩和し外容器本体に伝え難くしてあるので、外容器本体に容器形状を維持する硬質性を備えたものを用いても、外容器本体にひび割れが発生しにくくなり、その結果、耐久性が向上する。
【発明を実施するための最良の形態】
【００１５】
本発明の二重容器は図１、図２に示すように、ガラス製の内容器１と合成樹脂製の射出成形品の外容器２を凹凸を利用して嵌め合わせて密着し、両者１，２の間に断熱空間３を形成した透明なジョッキである。
【００１６】
内容器１は有底円筒形であって、その上端部を口部４とし、口部４をそれよりも下側より段差状に外側に張り出してある（外径を大きくしてある）。また、内容器１の外周面は、口部４の下側近傍に環状の凸条５を周方向に沿って突出してある。一方、内容器１の内周面は段差の殆ど無い滑らかな筒状の曲面である。
【００１７】
外容器２は内容器１よりも一回り大きな有底円筒形であって、内容器１の凸条５に嵌るリング状の係止輪６と、内容器１に嵌った係止輪６の外側に差し込んで係止輪６と一体化する有底円筒形の外容器本体７とからなる。
【００１８】
係止輪６は、その内周面の高さ中間部分に、凸条５に嵌る凹溝８を円周方向に沿って形成し、その上端部には外側に突出する外鍔９を円周方向に沿って形成してある。また、係止輪６は内容器１に嵌めやすいように、凹溝８よりも上側の内径を内容器１の対応箇所の外径よりも広く形成すると共に外容器本体７よりも柔軟性のあるものを用いる。具体的には、株式会社旭化成が製造販売している商品名アサフレックス（登録商標）を用いる。アサフレックスは、スチレン・ブタジエンブロックコポリマーで、高い透明性、優れた耐衝撃性、優れたヒンジ特性を発揮する。
【００１９】
外容器本体７は、全体として持ち手１０の付いた有底円筒形であって、図面では持ち手１０の付いた筒体１１と、底蓋１２と、底蓋１２の抜穴１３を塞ぐ止蓋１４とから構成してある。
【００２０】
筒体１１は、その上部を係止輪６の外側を覆う隠蔽部１５とし、係止輪６を下から支える支持鍔１６を隠蔽部１５の下側の内周面に沿って突出してある。また、筒体１１は隠蔽部１５と支持鍔１６の各上端面に、俗に溶着しろと言われる断面三角形状のエッジ１７を円周方向に沿って突出してある。
【００２１】
筒体１１の素材には、スチロールと上述したアサフレックス（登録商標）を４０：６０（重量％）の割合で混合したものを用いる。アサフレックスは前述した特性を有するだけでなく、スチレン系樹脂との相容性に優れ、耐衝撃性を改良するものであるので、容器形状を維持するための硬質性をスチロールによって持たせ、耐衝撃性をアサフレックスによって持たせてある。
【００２２】
底蓋１２は円盤状であって、その外周面を筒体１１の下端内周面に合わせて超音波溶着によって一体化する。また、底蓋１２の上面の外周部には補強用のリブ１８を円周方向に間隔をあけて設け、これらリブ１８の外側を背の低いワッカ１９の内周面に連続して形成してある。
【００２３】
本発明の二重容器を組み立てる場合は、図１に示すように、内容器１の下から係止輪６を差し込んで凸条５と凹溝８を嵌め込み、続いて、止蓋１４を外した外容器本体７を内容器１の下から差し込んで、係止輪６の外側を外容器本体７の隠蔽部１５で覆うと共に係止輪６を支持鍔１６で支えた状態とし、超音波溶着によってエッジ１７を溶かして係止輪６と外容器本体７の筒体１１を一体化する。エッジ１７は、隠蔽部１５と支持鍔１６の２箇所に設けてあるので、溶着によって係止輪６と筒体１１は強固に一体化する。このように係止輪６と外容器本体７の筒体１１は、上下２箇所、即ち係止輪６の全高の一部分で溶着してあるので、係止輪６の全高の全域に亘って溶着してあるものに比べて、係止輪６の柔軟性が充分に発揮され、反復使用によるひび割れを防止するのに好適である。なお、外容器本体７を差し込む際に、止蓋１４を外してあったのは、空気の抜け道を確保して、外容器本体７を嵌めやすくするためである。このようにして製造した二重容器は、内容器１の口部４から外容器２が殆ど段差なく面一状に連続する形態となり、体裁も良い。
【図面の簡単な説明】
【００２４】
【図１】本発明の二重容器を分解して示す一部拡大断面図である。
【図２】（イ）（ロ）図は本発明の二重容器の組立状態を示す一部拡大断面図、平面図である。
【符号の説明】
【００２５】
１  内容器
２  外容器
３  断熱空間
４  口部
５  凸条
６  係止輪
７  外容器本体
８  凹溝
【図１】
2006136549.tif 000003
【図２】
2006136549.tif 000004